(57)【要約】【課題】ワイヤハーネスに損傷が生じるのを抑制する。【解決手段】起立変形部２８を略垂直に起立させた状態で、配線を束ねて構成されるワイヤハーネス１０を中間部２６に載置し、その後、ワイヤハーネス１０の外周の一部に当接するよう中間部２６をプレスにより曲げ変形させて端部２２に端部２４を重ねる。これにより、起立変形部２８でワイヤハーネス１０が端部２２側に動くのが規制され、端部２２に端部２４を重ねる際にワイヤハーネス１０に損傷が生じるのを抑制することができる。【選択図】図２
2012138999.tif 000002
【特許請求の範囲】
【請求項１】
板状の部材として構成され、二つの端部の間の中間部にワイヤハーネスを載置した状態で前記ワイヤハーネスの外周の一部に当接するよう前記中間部が曲げ変形されると共に前記二つの端部のうちの一方の端部に他方の端部が重ねられることにより前記ワイヤハーネスを保持可能なワイヤハーネス用ブラケットであって、
前記中間部の前記二つの端部のうちの一方の端部側に配置され、前記ワイヤハーネスを載置する面側に起立するよう曲げ変形可能な起立変形部
を備えることを特徴とするワイヤハーネス用ブラケット。
【請求項２】
請求項１記載のワイヤハーネス用ブラケットであって、
前記起立変形部は、前記ワイヤハーネスを載置する面側に略垂直に起立するよう曲げ変形可能に形成されてなる
ワイヤハーネス用ブラケット。
【請求項３】
請求項１または２記載のワイヤハーネス用ブラケットであって、
前記起立変形部は、前記ワイヤハーネスを保持したときに前記ワイヤハーネスの延在方向に略平行に起立するよう曲げ変形可能に形成されてなる
ワイヤハーネス用ブラケット。
【請求項４】
二つの端部の間の中間部にワイヤハーネスを載置した状態で前記ワイヤハーネスの外周の一部に当接するよう前記中間部が曲げ変形されると共に前記二つの端部のうちの一方の端部に他方の端部が重ねられることにより前記ワイヤハーネスを保持するワイヤハーネス用ブラケットであって、
前記中間部の前記二つの端部のうちの一方の端部側に配置され、前記ワイヤハーネスを載置する面側に起立するよう曲げ変形された起立変形部
を備えることを特徴とするワイヤハーネス用ブラケット。
【発明の詳細な説明】
【技術分野】
【０００１】
本発明は、ワイヤハーネス用ブラケットに関する。
【背景技術】
【０００２】
従来、この種のワイヤハーネス用ブラケットとしては、電線を束ねてなるワイヤハーネスをバックル部に載置して、バックル部から一体に延びた帯部をワイヤハーネスの外周に巻き付けることによりワイヤハーネスをバックル部上に保持するものが提案されている（例えば、特許文献１参照）。このブラケットでは、バックル部にワイヤハーネスの長さ方向に沿って張り出した規制部を設け、この規制部に形成された突起をワイヤハーネスの電線の束の間に食い込ませることにより、ワイヤハーネスに曲げが生じることを抑制している。
【先行技術文献】
【特許文献】
【０００３】
【特許文献１】特開２０００−２２０９号公報
【発明の概要】
【発明が解決しようとする課題】
【０００４】
ところで、板状の部材として構成されて中間部にワイヤハーネスを載置した状態でワイヤハーネスの外周に当接するよう中間部を曲げて一方の端部に他方の端部を重ねることによりワイヤハーネスを保持する形状のワイヤハーネス用ブラケットでは、一方の端部を他方の端部に重ねる際に、ワイヤハーネスを被覆する被覆材などワイヤハーネスの一部を挟み込んで、ワイヤハーネスに損傷を生じさせる場合があった。
【０００５】
本発明のワイヤハーネス用ブラケットは、ワイヤハーネスに損傷が生じるのを抑制することを主目的とする。
【課題を解決するための手段】
【０００６】
本発明のワイヤハーネス用ブラケットは、上述の主目的を達成するために以下の手段を採った。
【０００７】
本発明の第１のワイヤハーネス用ブラケットは、
板状の部材として構成され、二つの端部の間の中間部にワイヤハーネスを載置した状態で前記ワイヤハーネスの外周の一部に当接するよう前記中間部が曲げ変形されると共に前記二つの端部のうちの一方の端部に他方の端部が重ねられることにより前記ワイヤハーネスを保持可能なワイヤハーネス用ブラケットであって、
前記中間部の前記二つの端部のうちの一方の端部側に配置され、前記ワイヤハーネスを載置する面側に起立するよう曲げ変形可能な起立変形部
を備えることを特徴とする。
【０００８】
この本発明の第１のワイヤハーネス用ブラケットでは、二つの端部の間の中間部にワイヤハーネスを載置した状態でワイヤハーネスの外周の一部に当接するよう中間部を曲げ変形させて二つの端部のうちの一方の端部に他方の端部を重ねる際に、起立変形部を起立させることにより、起立変形部によりワイヤハーネスが一方の端部側に移動するのを規制することができる。これにより、ワイヤハーネスが二つの端部で挟まれて損傷が生じるのを抑制することができる。
【０００９】
こうした本発明の第１のワイヤハーネス用ブラケットにおいて、前記起立変形部は、前記ワイヤハーネスを載置する面側に略垂直に起立するよう曲げ変形可能に形成されてなるものとすることもできるし、前記起立変形部は、前記ワイヤハーネスを保持したときに前記ワイヤハーネスの延在方向に略平行に起立するよう曲げ変形可能に形成されてなるものとすることもできる。
【００１０】
本発明の第２のワイヤハーネス用ブラケットは、
二つの端部の間の中間部にワイヤハーネスを載置した状態で前記ワイヤハーネスの外周の一部に当接するよう前記中間部が曲げ変形されると共に前記二つの端部のうちの一方の端部に他方の端部が重ねられることにより前記ワイヤハーネスを保持するワイヤハーネス用ブラケットであって、
前記中間部の前記二つの端部のうちの一方の端部側に配置され、前記ワイヤハーネスを載置する面側に起立するよう曲げ変形された起立変形部
を備えることを特徴とする。
【００１１】
この本発明の第２のワイヤハーネス用ブラケットでは、起立変形部を起立しているから、二つの端部の間の中間部にワイヤハーネスを載置した状態でワイヤハーネスの外周の一部に当接するよう中間部を曲げ変形させて二つの端部のうちの一方の端部に他方の端部を重ねる際に、起立変形部によりワイヤハーネスが一方の端部側に移動するのを規制することができる。これにより、ワイヤハーネスが二つの端部で挟まれて損傷が生じるのを抑制することができる。
【図面の簡単な説明】
【００１２】
【図１】本発明の一実施例のブラケット２０の構成の概略を示す外観図である。
【図２】ブラケット２０でワイヤハーネス１０を保持している様子を示す説明図である。
【図３】図２のＡＡ線での断面の概略を示す断面図である。
【図４】起立変形部２８を備えていない従来例のブラケットでワイヤハーネス１０が挟み込まれる様子を説明するための説明図である。
【図５】変形例のブラケット１２０でワイヤハーネス１０を保持している様子を示す説明図である。
【図６】変形例のブラケット２２０の構成の概略を示す外観図である。
【発明を実施するための形態】
【００１３】
次に、本発明を実施するための形態を実施例を用いて説明する。
【実施例】
【００１４】
図１は本発明の一実施例としての配線を束ねて構成されるワイヤハーネス１０を保持するブラケット２０の構成の概略を示す構成図であり、図２はブラケット２０でワイヤハーネス１０を保持している様子を示す説明図であり、図３は図２のＡＡ線での断面の概略を示す断面図である。ブラケット２０は、図１〜３に示すように、プレスにより曲げ変形可能な金属製の板材からプレスで打ち抜かれた板状の部材として形成されており、端２１から長さＬ１までの端部２２と端２３から長さＬ２までの端部２４との間の中間部２６の端部２２側に、表面３４に略垂直でワイヤハーネス１０の延在する方向に略平行に起立するようプレスにより曲げ変形可能な起立変形部２８が形成されている。
【００１５】
端部２２，２４には、貫通孔３０，３２が形成されている。貫通孔３０，３２は、端部２２，２４を重ねたときに整合するよう配置されており、端部２２，２４を重ねたときに貫通孔３０，３２と図示しない車体などに設けられたボルト穴とにボルトを貫通させることにより、ブラケット２０を車体などに固定することができる。
【００１６】
こうして構成されたブラケット２０では、図２，３に示すように、起立変形部２８を起立させた状態で、ワイヤハーネス１０を中間部２６に載置し、その後、ワイヤハーネス１０の外周の一部に表面３４の一部が当接するよう中間部２６をプレスにより曲げ変形させて端部２２に端部２４を重ねることにより、ワイヤハーネス１０を中間部２６の表面３４側で保持することができる。端部２２と端部２４とを重ねる際には、起立変形部２８を設けない場合には、図４に示すように、ワイヤハーネス１０が端部２２，２４側に動いて端部２２，２４とでワイヤハーネス１０を挟み込む場合があるが、起立変形部２８を表面３４側に起立させた状態で端部２２に端部２４を重ねることにより、ワイヤハーネス１０の端部２２側への動きが規制され、端部２２と端部２４とで上下にワイヤハーネス１０を挟み込むことを抑制することができる。これにより、ワイヤハーネス１０に損傷が生じるのを抑制することができる。
【００１７】
以上説明した実施例のブラケット２０によれば、起立変形部２８を表面３４側に略垂直に起立させた状態で、ワイヤハーネス１０を中間部２６に載置し、その後、ワイヤハーネス１０の外周の一部に表面３４の一部が当接するよう中間部２６をプレスにより曲げ変形させて端部２２に端部２４を重ねることにより、ワイヤハーネス１０に損傷が生じるのを抑制することができる。
【００１８】
実施例のブラケット２０では、起立変形部２８を表面３４側に略垂直に起立させるものとしたが、図５の変形例のブラケット１２０に例示するように、起立変形部１２８をワイヤハーネス１０側や端部２２側に傾けて起立させるものとしてもよい。
【００１９】
実施例のブラケット２０では、中間部２６に１つの起立変形部２８を形成するものとしたが、図６の変形例のブラケット２２０に例示するように、ワイヤハーネス１０の軸方向に複数の起立変形部（起立変形部２２８ａ，２２８ｂ）を並べて形成するものとして、起立変形部２２８ａ，２２８ｂを起立させた状態で、ワイヤハーネス１０を保持するよう中間部２６を曲げ変形させるものとしてもよい。
【００２０】
実施例の主要な要素と課題を解決するための手段の欄に記載した発明の主要な要素との対応関係について説明する。実施例では、本発明の第１、第２のワイヤハーネス用ブラケットにおいて、起立変形部２８が「起立変形部」に相当する。
【００２１】
ここで、本発明の第１のワイヤハーネス用ブラケットにおいて、「起立変形部」としては、起立変形部２８に限定されるものではなく、中間部の二つの端部のうちの一方の端部側に配置され、ワイヤハーネスを載置する面側に起立するよう曲げ変形可能なものであれば如何なるものとしても構わない。また、本発明の第２のワイヤハーネス用ブラケットにおいて、「起立変形部」としては、起立変形部２８に限定されるものではなく、中間部の二つの端部のうちの一方の端部側に配置され、ワイヤハーネスを載置する面側に起立するよう曲げ変形されたものであれば如何なるものとしても構わない。
【００２２】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２３】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２４】
本発明は、ワイヤハーネス用ブラケットの製造産業などに利用可能である。
【符号の説明】
【００２５】
１０  ワイヤハーネス、２０，１２０，２２０  ブラケット、２１，２３  端、２２，２４  端部、２６  中間部、２８，１２８，２２８ａ，２２８ｂ  起立変形部、３０，３２  貫通孔、３４  表面。
【図１】
2012138999.tif 000003
【図６】
2012138999.tif 000004
【図２】
2012138999.tif 000005
【図３】
2012138999.tif 000006
【図４】
2012138999.tif 000007
【図５】
2012138999.tif 000008